(57)【要約】【目的】点滴液の残量が減少した場合でも、これを余さず点滴容器から最後まで確実に滴下排出させ得る簡易構造の点滴用補助具を提供する。【構成】可撓性を有する点滴容器１を巻き取るための巻胴１１と、この巻胴を水平状にして回転可能に吊支するハンガー１２と、巻胴１１を一方向に回転付勢する捩りコイルバネ２２とを有する。巻胴１１の周面部には点滴容器１を掛けるためのフック１３が設けられる。そして、フック１３に掛けられた点滴容器１から内容液が排出するに連れて該点滴容器１が巻胴１１に巻き付く。【選択図】図１
2006325719.tif 000002
【特許請求の範囲】
【請求項１】
可撓性を有する点滴容器を巻き取るための巻胴と、この巻胴を水平状にして回転可能に吊支するハンガーと、前記巻胴を一方向に回転付勢する弾性部材とを有し、前記巻胴の周面部には点滴容器を掛けるための係止部が設けられ、その係止部に掛けられた点滴容器から内容液が排出するに連れて該点滴容器が前記巻胴に巻き付く構成としたことを特徴とする点滴用補助具。
【請求項２】
弾性部材による巻胴の回転付勢力を調整可能な付勢力調整手段を備えることを特徴とする請求項１記載の点滴用補助具。
【発明の詳細な説明】
【技術分野】
【０００１】
本発明は、点滴容器をベッド近傍の支柱や室内天井などに吊下げるのに用いられる器具に係わり、特に点滴容器の内容液を余すことなく最後まで良好に排出させ得るようにした点滴用補助具に関する。
【背景技術】
【０００２】
病院をはじめとする医療機関では、患者の健康を早期に回復させることなどを目的として、静脈点滴注射することが一般に広く行われている。
【０００３】
ここに、患者の生体内に投与すべき点滴液を収容する点滴容器には、ポリエチレン、ポリプロピレン、又はポリプロピレンなどの複層フィルム構造物から構成される輸液バッグと呼ばれる可撓性を有した袋状のものが多用され、その内部に生理食塩水や血液といった点滴液が定量的に収容される。
【０００４】
そして、点滴注射を行うに際しては、点滴容器の下部に設けられるゴム栓に針を刺し、その針に点滴チャンバなどを介してチューブを接続すると共に、チューブの一端に接続される点滴針を患者の静脈内に挿入する一方、点滴容器を支柱や室内天井などに吊下げている（例えば、特許文献１、２）。
【０００５】
【特許文献１】実開平５−６８５４８号公報
【０００６】
【特許文献２】実開平６−８３０３５号公報
【発明の開示】
【発明が解決しようとする課題】
【０００７】
然しながら、点滴容器を支柱や室内天井に単に吊下げるだけでは、点滴開始時点においては内容液がチャンバ内に滴下しても、その残量が減少するに従って点滴容器内の圧力が低下し、生体に対する点滴液の投与量が所定量に達しないうちに点滴容器から点滴液が滴下しなくなることがある。特に、体圧の高い患者では、点滴容器内からの点滴液の滴下排出が短時間で停止し、必要量の点滴液が投与されなくなることがある。
【０００８】
このような場合には、看護士によって点滴容器の吊下げ位置を初期位置より高所に切り換えるなどして対応しているが、長時間に及ぶ点滴注射では看護士が点滴終了時間を見計らって病室を訪れる程度なので、点滴の中断を早期に発見することは甚だ困難である。
【０００９】
本発明は以上のような事情に鑑みて成されたものであり、その目的は点滴液の残量が減少した場合でも、これを余さず点滴容器から最後まで確実に滴下排出させ得るようにすることにある。
【課題を解決するための手段】
【００１０】
本発明は上記目的を達成するため、可撓性を有する点滴容器を巻き取るための巻胴と、この巻胴を水平状にして回転可能に吊支するハンガーと、前記巻胴を一方向に回転付勢する弾性部材とを有し、前記巻胴の周面部には点滴容器を掛けるための係止部が設けられ、その係止部に掛けられた点滴容器から内容液が排出するに連れて該点滴容器が前記巻胴に巻き付く構成としたことを特徴とする点滴用補助具を提供する。
【００１１】
又、上記のような点滴用補助具において、好ましくは弾性部材による巻胴の回転付勢力を調整可能な付勢力調整手段を備えることを特徴とする。
【発明の効果】
【００１２】
本発明によれば、可撓性を有する点滴容器を巻き取るための巻胴と、この巻胴を水平状にして回転可能に吊支するハンガーと、巻胴を一方向に回転付勢する弾性部材とを有し、巻胴の周面部には点滴容器を掛けるための係止部が設けられることから、従来通り点滴容器を専用の支柱や室内天井に吊下げて、内容液（点滴液）を自然落下式に滴下させることができ、しかも巻胴に与えられる回転付勢力により、係止部に掛けられた点滴容器から内容液が排出するに連れて該点滴容器が巻胴に巻き付くようにしていることから、点滴液の残量が減少した場合でも、巻胴に対する点滴容器の巻き付きにより点滴液を余すことなく確実に排出せしめることができる。
【００１３】
このため、生体内に対する点滴液の投与が中断してしまうことがなく、これによって点滴の中断を心配する看護士の見回り回数を減らせるので、点滴注射に伴う看護労力を大幅に軽減することができる。
【００１４】
又、弾性部材による巻胴の回転付勢力を調整可能な付勢力調整手段を備えることから、点滴容器の容量に応じて巻胴に最適な回転付勢力を与えることができる。
【発明を実施するための最良の形態】
【００１５】
以下、図面に基づき本発明を詳しく説明する。図１は本発明に係る点滴用補助具の使用態様を示した斜視図である。図１において、１は可撓性を有する点滴容器（輸液バッグ）で、この点滴容器１はポリエチレンなどの軟質樹脂から作られる密閉された袋状の構造物で成り、その内部には生理食塩水や血液といった点滴液が定量的に（例えば、２００〜１５００ｃｃ）収容されている。
【００１６】
係る点滴容器１の上部にはヒートシールされた端縁中央部に吊下用穴２が穿設される一方、その下部にはゴム栓３が取り付けられる。そして、そのゴム栓３に針付のフレキシブルチューブ４が挿入され、そのチューブ４を通じて点滴容器１内の点滴液が一滴ずつ外部に排出されるようになっている。
【００１７】
一方、５は点滴液を投与すべき患者が横臥するベッドの近傍などに配置される支柱であり、この支柱５の上部から水平方向に張り出す腕木６には本発明に係る点滴補助具１０が吊下げられる。係る点滴補助具１０は、両端が閉鎖される円筒状の巻胴１１と、該巻胴を水平状にして回転可能に吊支するハンガー１２とを備え、ハンガー１２の上端には腕木６などに掛けるための鉤状の掛金部１２Ａが形成される。
【００１８】
そして、上記の点滴容器１は、本発明に係る点滴用補助具１０を介して所定の高さ位置に吊下げられ、その状態で点滴液がチューブ４などを介して患者の静脈内に投与される。
【００１９】
図２は点滴用補助具の正面図、図３は同補助具の側面図である。これらの図で明らかなように、巻胴１１の周面部、特にその長さ方向中央部には鉤状のフック１３（係止部）が設けられ、そのフック１３に点滴容器１が上記吊下用穴２を用いて掛けられるようになっている。
【００２０】
特に、巻胴１１は後述する弾性部材により一方向（図３において反時計方向）に回転付勢されており、フック１３に点滴容器を掛けたときにはその重量によって巻胴１１が図３における時計方向に回転してフック１３が下向きとなり、無負荷時においては巻胴１１が図３における反時計方向（矢印方向）に回転してフック１３が図３に示す位置とは反対側の領域に位置するようになっている。
【００２１】
尚、フック１３の取付部分には、巻胴１１の回転操作を行うための牽引線１４が接続され、その牽引線１４により巻胴１１を弾性部材の付勢力に抗して回転せしめ、これによってフック１３を図３に示す位置に保持しながら点滴容器をフック１３に掛け得るようにしているが、係る牽引線１４は必ずしも必要でなく、フック１３に点滴容器を掛けるに際して巻胴１１を手で直接回転させ、これによってフック１３を点滴容器の掛け易い位置に移動させることもできる。
【００２２】
次に、図４は巻胴の内部構造を示した縦断面図であり、図５には図４における部分拡大断面を示す。図４から明らかなように、ハンガー１２は線状材を屈曲して成り、その一部は巻胴１１の中心を貫通する支軸部１２Ｂとされる。そして、巻胴１１は支軸部１２Ｂを中心として正逆に回転可能とされる。
【００２３】
又、支軸部１２Ｂには、巻胴１１の外部にあって該巻胴の端面部１１Ａに宛がわれるストッパ１５が固着され、巻胴１１の内部では支軸部１２Ｂの外周に円盤状を成す固定フランジ１６と可動フランジ１７とが設けられる。固定フランジ１６は巻胴１１の中央部分で支軸部１２Ｂに固着され、可動フランジ１７は固定フランジ１６に対向して巻胴１１内の一端側で支軸部１２Ｂ上に回転可能に設けられる。
【００２４】
特に、可動フランジ１７は、巻胴１１の外部で支軸部１２Ｂ上に回転可能に設けられる操作レバー１８と中空軸部１９を介して連結される。尚、支軸部１２Ｂは中空軸部１９内を通じて巻胴１１外に突出され、その先端には抜け止め用のナット２０が締結される。そして、中空軸部１９の外周には、操作レバー１８と巻胴の端面部１１Ｂとの間で圧縮コイルバネ２１が介在され、その圧縮コイルバネ２１の弾力によって可動フランジ１７が巻胴の端面部１１Ｂに密着するようにしている。
【００２５】
又、固定フランジ１６と可動フランジ１７との間には、巻胴１１を一方向に回転付勢する上記弾性部材として捩りコイルバネ２２が介在され、その両端が固定フランジ１６と可動フランジ１７に係止されている。
【００２６】
尚、可動フランジ１７は巻胴の端面部１１Ｂに固着してもよいが、本例では可動フランジ１７と巻胴の端面部１１Ｂとに両者の相対回転を抑止する噛合歯２３，２４を形成し、圧縮コイルバネ２１の弾力に抗して可動フランジ１７を巻胴の端面部１１Ｂから離間させた状態で噛合歯２３，２４の噛合位置を変更できるようにし、これによって捻りコイルバネ２２による巻胴１１の回転付勢力を調整可能とする付勢力調整手段を構成している。
【００２７】
図６から明らかなように、噛合歯２３，２４は支軸部１２Ｂを中心として所定の間隔で放射状に設けられる。尚、本例において、可動フランジ１７に形成される噛合歯２３と、巻胴の端面部１１Ｂに形成される噛合歯２４は、それぞれ４５度間隔で８つ形成される。
【００２８】
又、図７のように、操作レバー１８はその先端部が端面部１１Ｂの半径方向に延びる先細りの指針部１８Ａとされ、その指針部１８Ａが指し示す端面部１１Ｂの周縁位置には所定の間隔で点滴容器の容量に対応する目盛りが付される。
【００２９】
ここで、以上のように構成される点滴用補助具の作用と使用方法について説明する。先ず、点滴注射を行うに際し、患者が横臥するベッド近傍に配置される支柱や室内天井の部位にハンガー１２の上端掛金部１２Ａを引っ掛ける。
【００３０】
そして、フック１３に点滴容器１を掛けるのであるが、このとき使用する点滴容器１が例えば１０００ｃｃ容量のものである場合、点滴容器１をフック１３に掛ける前に操作レバーの指針部１８Ａを巻胴の端面部１１Ｂにおける「１０００」の目盛りに合わせる。これには、巻胴１１を把持しながら操作レバー１８を押して巻胴の端面部１１Ｂから可動フランジ１７を離間させ、この状態で操作レバー１８を回し、指針部１８Ａが「１０００」を指し示した位置で操作レバー１８から手を離す。
【００３１】
尚、指針部１８Ａを「１０００」の目盛りに合わせる場合であって、指針部１８Ａの初期の指示値が「１０００」以下の場合には、操作レバー１８の回転方向は捩りバネの巻締め方向（本例において端面部１１Ｂに向かって左回り）とする。
【００３２】
しかして、図３などに示される牽引線１４を引っ張り、巻胴１１を捩りコイルバネ２２の弾力に抗して回転（捩りコイルバネ２２の巻締め方向であって図３では右回り）させ、これによりフック１３を手前に移動させ、その状態で係るフック１３に点滴容器１を掛ける。
【００３３】
すると、図８のように点滴容器１の重量によりフック１３が下向きとなり、そのフック１３に掛けられた点滴容器１から点滴液が滴下するようになる。尚、点滴容器１と点滴を受ける患者は定法に従ってチューブ４などで連結されるのであり、このため点滴容器１から一滴ずつ排出される点滴液はチューブ４などを通じて患者に投与されることになる。
【００３４】
こうして点滴容器１から点滴液が排出されていくと、点滴液の減少により点滴容器１が軽くなり、これによって捻りコイルバネ２２に対する負荷が低下するために点滴容器１が巻き上げられ、これが図９のように上端側から順に巻胴１１に巻き付くようになる。
【００３５】
このため、点滴容器１内の点滴液が減少しても圧力低下による点滴液の排出停止が発生せず、係る点滴液は巻胴１１に対する点滴容器１の巻付力によりその内部から適量ずつ良好に排出される。
【００３６】
以上、本発明について説明したが、本発明に係る点滴用補助具は医療用のほか、点滴容器内に水や養液を収容して、これを植物に供給する際などにも用いることができる。
【図面の簡単な説明】
【００３７】
【図１】本発明に係る点滴用補助具の使用態様を示す斜視図
【図２】同補助具の正面概略図
【図３】同補助具の側面概略図
【図４】巻胴の内部構造を示す部分断面図
【図５】図４の部分拡大断面図
【図６】巻胴の一端側を示す構造説明図
【図７】巻胴の一端側を示す構造説明図
【図８】点滴容器の初期吊下げ状態を示す説明図
【図９】点滴終了直前の状態を示す説明図
【符号の説明】
【００３８】
１  点滴容器
１０  点滴用補助具
１１  巻胴
１２  ハンガー
１３  フック（係止部）
１６  固定フランジ
１７  可動フランジ
１８  操作レバー
２２  弾性部材（捩りコイルバネ）
２３，２４  噛合歯
【図１】
2006325719.tif 000003
【図２】
2006325719.tif 000004
【図３】
2006325719.tif 000005
【図４】
2006325719.tif 000006
【図５】
2006325719.tif 000007
【図６】
2006325719.tif 000008
【図７】
2006325719.tif 000009
【図８】
2006325719.tif 000010
【図９】
2006325719.tif 000011